(57)【特許請求の範囲】
【請求項１】
操作部、記憶部、電話部、及び通信部を備える携帯端末が読み取り可能なＦＡＸプログラムであって、
前記記憶部は、各々が外部装置を特定する第１形式の複数の電話番号を記憶しており、
前記電話部は、前記第１形式の前記電話番号で特定される前記外部装置との間において、第１電話回線を通じて音声信号を送受信し、
前記通信部は、ＦＡＸ装置と電気的に接続することが可能であり、
前記ＦＡＸ装置は、
付加記号を記憶することが可能であり、
前記第１形式と異なる第２形式の前記電話番号で特定される前記外部装置に対して、前記第１電話回線と異なる第２電話回線を通じて、ＦＡＸプロトコルに従ってコンテンツデータをＦＡＸ送信し、
当該ＦＡＸ装置の操作部を通じて指定された前記電話番号で識別される前記外部装置にＦＡＸ送信する場合に、当該電話番号の先頭に前記付加記号を付加し、
該ＦＡＸプログラムは、
ＦＡＸ送信すべき前記コンテンツデータである対象データを指定するユーザ操作を、前記操作部を通じて受け付ける第１受付処理と、
前記記憶部に記憶された複数の前記電話番号のうちのいずれかである対象電話番号を指定するユーザ操作を、前記操作部を通じて受け付ける第２受付処理と、
前記付加記号が記憶されているか否かを問い合わせる第２問合せ情報を、前記通信部を通じて前記ＦＡＸ装置に送信する第２問合せ処理と、
前記通信部を通じて前記ＦＡＸ装置から第２回答情報を受信する第３受信処理と、
前記第２回答情報に前記付加記号が含まれているか否かを判断する第２判断処理と、
前記対象電話番号を前記第１形式から前記第２形式に変換し、前記付加記号が含まれていると前記第２判断処理で判断したことに応じて、当該付加記号を前記対象電話番号の先頭に付加する変換処理と、
前記対象データ及び前記第２形式の前記対象電話番号を含むＦＡＸ指示情報を、前記通信部を通じて前記ＦＡＸ装置に送信するＦＡＸ指示処理とを前記携帯端末に実行させ、前記ＦＡＸ指示情報は、前記対象電話番号で特定される前記外部装置に前記対象データをＦＡＸ送信させるための情報であるＦＡＸプログラム。
【請求項２】
操作部、記憶部、電話部、及び通信部を備える携帯端末が読み取り可能なＦＡＸプログラムであって、
前記記憶部は、各々が外部装置を特定する第１形式の複数の電話番号を記憶しており、前記第１形式の第１接頭記号が先頭に付加された前記電話番号を記憶することが可能であり、前記第１接頭記号は、第１電話回線を通じて第１国から前記第１国と異なる第２国に発信することを示す接頭記号であり、
前記電話部は、前記第１形式の前記電話番号で特定される前記外部装置との間において、前記第１電話回線を通じて音声信号を送受信し、
前記通信部は、ＦＡＸ装置と電気的に接続することが可能であり、
前記ＦＡＸ装置は、前記第１形式と異なる第２形式の前記電話番号で特定される前記外部装置に対して、前記第１電話回線と異なる第２電話回線を通じて、ＦＡＸプロトコルに従ってコンテンツデータをＦＡＸ送信し、
該ＦＡＸプログラムは、
ＦＡＸ送信すべき前記コンテンツデータである対象データを指定するユーザ操作を、前記操作部を通じて受け付ける第１受付処理と、
前記記憶部に記憶された複数の前記電話番号のうちのいずれかである対象電話番号を指定するユーザ操作を、前記操作部を通じて受け付ける第２受付処理と、
前記対象電話番号を前記第１形式から前記第２形式に変換する変換処理と、
前記対象データ及び前記第２形式の前記対象電話番号を含むＦＡＸ指示情報を、前記通信部を通じて前記ＦＡＸ装置に送信するＦＡＸ指示処理と、
前記対象電話番号が前記第１接頭記号を含むか否かを判断する第３判断処理と、
前記第１接頭記号を含むと前記第３判断処理で判断したことに応じて、前記第２形式の第２接頭記号を、上記記憶部から、或いは、上記通信部を通じて上記ＦＡＸ装置又は通信ネットワークに接続されたサーバから取得する取得処理とを前記携帯端末に実行させ、前記ＦＡＸ指示情報は、前記対象電話番号で特定される前記外部装置に前記対象データをＦＡＸ送信させるための情報であり、前記第２接頭記号は、前記第２電話回線を通じて前記第１国から前記第２国に発信することを示す前記接頭記号であり、
前記変換処理において、前記対象電話番号に含まれる前記第１接頭記号を、前記取得処理で取得した前記第２接頭記号に置換するＦＡＸプログラム。
【請求項３】
前記記憶部に記憶される前記電話番号は、当該電話番号を構成する複数の数字の間に、前記第１形式の第１制御記号を含むことが可能であり、前記第１制御記号は、数字信号を前記第１電話回線に送出するタイミングを示す制御記号であり、前記数字信号は、前記電話番号を構成する各数字に対応する信号であり、
前記電話部は、前記第１制御記号で示されるタイミングで前記数字信号を前記第１電話回線に送出し、
該ＦＡＸプログラムは、
前記対象電話番号が前記第１制御記号を含むか否かを判断する第１判断処理と、
前記第１制御記号を含むと前記第１判断処理で判断したことに応じて、当該第１制御記号を第２制御記号に置換する前記変換処理とを前記携帯端末に実行させ、前記第２制御記号は、前記数字信号の送出タイミングを制御する前記第２形式の前記制御記号である請求項１又は２に記載のＦＡＸプログラム。
【請求項４】
該ＦＡＸプログラムは、
前記第２形式の前記制御記号を問い合わせる第１問合せ情報を、前記通信部を通じて前記ＦＡＸ装置に送信する第１問合せ処理と、
前記第２制御記号を含む第１回答情報を前記通信部を通じて前記ＦＡＸ装置から受信する第１受信処理とを前記携帯端末に実行させ、
前記変換処理において、前記対象電話番号に含まれる前記第１制御記号を、前記第１回答情報に含まれる前記第２制御記号に置換する請求項３に記載のＦＡＸプログラム。
【請求項５】
前記携帯端末は、表示部を備えており、
前記ＦＡＸ装置は、前記第２制御記号を含む複数の前記電話番号を記憶しており、
該ＦＡＸプログラムは、
前記ＦＡＸ装置に記憶された前記電話番号を、前記通信部を通じて当該ＦＡＸ装置から受信する第２受信処理と、
前記記憶部に記憶された複数の前記電話番号、及び前記第２受信処理で受信した複数の前記電話番号を前記表示部に一覧表示させる一覧表示処理とを前記携帯端末に実行させ、前記第２受信処理で受信した前記電話番号は、前記第２制御記号が前記第１制御記号に置換された状態で前記表示部に表示され、
該ＦＡＸプログラムは、前記第２受付処理において、前記一覧表示処理で一覧表示された複数の前記電話番号のうちから前記対象電話番号を指定するユーザ操作を、前記操作部を通じて受け付ける請求項３又は４に記載のＦＡＸプログラム。
【請求項６】
該ＦＡＸプログラムは、
前記第２受信処理で受信した前記電話番号に含まれる前記第２制御記号を、対応する前記第１制御記号に置換する逆変換処理を、前記一覧表示処理に先立って前記携帯端末に実行させ、
前記変換処理において、前記対象電話番号に含まれる前記第１制御記号を、前記第２制御記号に置換する請求項５に記載のＦＡＸプログラム。
【請求項７】
該ＦＡＸプログラムは、
前記付加記号が含まれていると前記第２判断処理で判断したことに応じて、当該付加記号を前記対象電話番号の先頭に付加するか否かを示すユーザ操作を、前記操作部を通じて受け付ける第３受付処理を前記携帯端末に実行させ、
付加することを示すユーザ操作を前記第３受付処理で受け付けたことに応じて、前記変換処理を実行する請求項１に記載のＦＡＸプログラム。
【請求項８】
前記第２接頭記号は、前記第１国における複数の通信事業者の１つを指定する指定記号を含むことが可能であり、
該ＦＡＸプログラムは、
前記取得処理で取得した複数の前記第２接頭記号の１つを指定するユーザ操作を、前記操作部を通じて受け付ける第４受付処理を前記携帯端末に実行させ、
前記変換処理において、前記対象電話番号に含まれる前記第１接頭記号を、前記第４受付処理で指定を受け付けた前記第２接頭記号に置換する請求項２に記載のＦＡＸプログラム。
【請求項９】
前記第１接頭記号及び前記第２接頭記号は、前記電話番号で特定される前記外部装置が設置された前記第２国を示す相手国記号を含み、
前記ＦＡＸ装置は、通信装置を経由してインターネットに接続されており、
該ＦＡＸプログラムは、
前記ＦＡＸ装置が設置された国を判断する第４判断処理を前記携帯端末に実行させ、
前記ＦＡＸ装置が前記第１国に設置されていると前記第４判断処理で判断した場合の前記変換処理において、前記対象電話番号に含まれる前記第１接頭記号を前記第２接頭記号に置換し、
前記第４判断処理において、前記通信装置に付与されたグローバルＩＰアドレスを取得し、当該グローバルＩＰアドレスが割り当てられた国を判断し、
前記ＦＡＸ装置が前記第２国に設置されていると前記第４判断処理で判断した場合の前記変換処理において、前記対象電話番号に含まれる前記第１接頭記号を第３接頭記号に置換し、前記第３接頭記号は、前記第２国内に設置された装置間の発信に共通して用いられる前記接頭記号である請求項２又は８に記載のＦＡＸプログラム。
【請求項１０】
前記携帯端末は、現在位置を示す位置情報を出力する位置出力部と、近接無線通信プロトコルに準拠した無線信号を送受信する近接通信部とをさらに備えており、
該ＦＡＸプログラムは、前記第４判断処理において、前記位置出力部から出力される前記位置情報で示される国を判断し、前記近接通信部を通じて前記ＦＡＸ装置から前記無線信号を受信したことに応じて、前記位置情報で示される国に前記ＦＡＸ装置が設置されていると判断する請求項９に記載のＦＡＸプログラム。
【請求項１１】
操作部と、
記憶部と、
電話部と、
通信部と、
制御部とを備える携帯端末であって、
前記記憶部は、各々が外部装置を特定する第１形式の複数の電話番号を記憶しており、
前記電話部は、前記第１形式の前記電話番号で特定される前記外部装置との間において、第１電話回線を通じて音声信号を送受信し、
前記通信部は、ＦＡＸ装置と電気的に接続することが可能であり、
前記ＦＡＸ装置は、
付加記号を記憶することが可能であり、
前記第１形式と異なる第２形式の前記電話番号で特定される前記外部装置に対して、前記第１電話回線と異なる第２電話回線を通じて、ＦＡＸプロトコルに従ってコンテンツデータをＦＡＸ送信し、
当該ＦＡＸ装置の操作部を通じて指定された前記電話番号で識別される前記外部装置にＦＡＸ送信する場合に、当該電話番号の先頭に前記付加記号を付加し、
前記制御部は、
ＦＡＸ送信すべき前記コンテンツデータである対象データを指定するユーザ操作を、前記操作部を通じて受け付ける第１受付処理と、
前記記憶部に記憶された複数の前記電話番号のうちのいずれかである対象電話番号を指定するユーザ操作を、前記操作部を通じて受け付ける第２受付処理と、
前記付加記号が記憶されているか否かを問い合わせる第２問合せ情報を、前記通信部を通じて前記ＦＡＸ装置に送信する第２問合せ処理と、
前記通信部を通じて前記ＦＡＸ装置から第２回答情報を受信する第３受信処理と、
前記第２回答情報に前記付加記号が含まれているか否かを判断する第２判断処理と、
前記対象電話番号を前記第１形式から前記第２形式に変換し、前記付加記号が含まれていると前記第２判断処理で判断したことに応じて、当該付加記号を前記対象電話番号の先頭に付加する変換処理と、
前記対象データ及び前記第２形式の前記対象電話番号を含むＦＡＸ指示情報を、前記通信部を通じて前記ＦＡＸ装置に送信するＦＡＸ指示処理とを実行し、前記ＦＡＸ指示情報は、前記対象電話番号で特定される前記外部装置に前記対象データをＦＡＸ送信させるための情報である携帯端末。
【請求項１２】
操作部と、
記憶部と、
電話部と、
通信部と、
制御部とを備える携帯端末であって、
前記記憶部は、各々が外部装置を特定する第１形式の複数の電話番号を記憶しており、前記第１形式の第１接頭記号が先頭に付加された前記電話番号を記憶することが可能であり、前記第１接頭記号は、第１電話回線を通じて第１国から前記第１国と異なる第２国に発信することを示す接頭記号であり、
前記電話部は、前記第１形式の前記電話番号で特定される前記外部装置との間において、前記第１電話回線を通じて音声信号を送受信し、
前記通信部は、ＦＡＸ装置と電気的に接続することが可能であり、
前記ＦＡＸ装置は、前記第１形式と異なる第２形式の前記電話番号で特定される前記外部装置に対して、前記第１電話回線と異なる第２電話回線を通じて、ＦＡＸプロトコルに従ってコンテンツデータをＦＡＸ送信し、
前記制御部は、
ＦＡＸ送信すべき前記コンテンツデータである対象データを指定するユーザ操作を、前記操作部を通じて受け付ける第１受付処理と、
前記記憶部に記憶された複数の前記電話番号のうちのいずれかである対象電話番号を指定するユーザ操作を、前記操作部を通じて受け付ける第２受付処理と、
前記対象電話番号を前記第１形式から前記第２形式に変換する変換処理と、
前記対象データ及び前記第２形式の前記対象電話番号を含むＦＡＸ指示情報を、前記通信部を通じて前記ＦＡＸ装置に送信するＦＡＸ指示処理と、
前記対象電話番号が前記第１接頭記号を含むか否かを判断する第３判断処理と、
前記第１接頭記号を含むと前記第３判断処理で判断したことに応じて、前記第２形式の第２接頭記号を、上記記憶部から、或いは、上記通信部を通じて上記ＦＡＸ装置又は通信ネットワークに接続されたサーバから取得する取得処理とを実行し、前記ＦＡＸ指示情報は、前記対象電話番号で特定される前記外部装置に前記対象データをＦＡＸ送信させるための情報であり、前記第２接頭記号は、前記第２電話回線を通じて前記第１国から前記第２国に発信することを示す前記接頭記号であり、
前記変換処理において、前記対象電話番号に含まれる前記第１接頭記号を、前記取得処理で取得した前記第２接頭記号に置換する携帯端末。
【発明の詳細な説明】
【技術分野】
【０００１】
本発明は、ＦＡＸ装置に画像データをＦＡＸ送信させるＦＡＸプログラム、及び当該ＦＡＸプログラムを実行する携帯端末に関する。
【背景技術】
【０００２】
携帯端末にインストール可能なプログラムであって、当該携帯端末に接続されたＦＡＸ装置にＦＡＸ送信を実行させるＦＡＸプログラムが従来から知られている。また、特許文献１には、携帯端末に登録された電話番号のうちから所望の電話番号をユーザに指定させ、指定された電話番号をＦＡＸ装置へ送信する携帯端末が開示されている。そして、携帯端末から電話番号を受信したＦＡＸ装置は、当該電話番号で特定される外部装置に対してＦＡＸ送信処理を実行する。
【先行技術文献】
【特許文献】
【０００３】
【特許文献１】特開２００４−２３６０３１号公報
【発明の概要】
【発明が解決しようとする課題】
【０００４】
しかしながら、移動体通信回線を通じて通信する携帯端末が使用する電話番号のフォーマットは、固定電話回線を通じてＦＡＸ送信するＦＡＸ装置が使用する電話番号のフォーマットと異なる可能性がある。その結果、携帯端末に登録された電話番号をＦＡＸ装置へ送信しても、当該電話番号をＦＡＸ装置が正しく認識できない可能性がある。ＦＡＸ装置が電話番号を正しく認識できない場合、ＦＡＸ送信処理自体が実行できなかったり、電話番号に対応する装置と異なる外部装置に対してＦＡＸ送信処理が実行されたりする可能性がある。
【０００５】
本発明は、上記の事情に鑑みてなされたものであり、その目的は、携帯端末で指定した電話番号で特定される外部装置に対してＦＡＸ装置がＦＡＸ送信処理を実行する場合において、ＦＡＸの送信失敗や誤送信を抑制した携帯端末のＦＡＸプログラムを提供することにある。
【課題を解決するための手段】
【０００６】
(1)  本明細書に記載のＦＡＸプログラムは、操作部、記憶部、電話部、及び通信部を備える携帯端末が読み取り可能である。前記記憶部は、各々が外部装置を特定する第１形式の複数の電話番号を記憶している。前記電話部は、前記第１形式の前記電話番号で特定される前記外部装置との間において、第１電話回線を通じて音声信号を送受信する。前記通信部は、ＦＡＸ装置と電気的に接続することが可能である。前記ＦＡＸ装置は、前記第１形式と異なる第２形式の前記電話番号で特定される前記外部装置に対して、前記第１電話回線と異なる第２電話回線を通じて、ＦＡＸプロトコルに従ってコンテンツデータをＦＡＸ送信する。該ＦＡＸプログラムは、ＦＡＸ送信すべき前記コンテンツデータである対象データを指定するユーザ操作を、前記操作部を通じて受け付ける第１受付処理と、前記記憶部に記憶された複数の前記電話番号のうちのいずれかである対象電話番号を指定するユーザ操作を、前記操作部を通じて受け付ける第２受付処理と、前記対象電話番号を前記第１形式から前記第２形式に変換する変換処理と、前記対象データ及び前記第２形式の前記対象電話番号を含むＦＡＸ指示情報を、前記通信部を通じて前記ＦＡＸ装置に送信するＦＡＸ指示処理とを前記携帯端末に実行させる。前記ＦＡＸ指示情報は、前記対象電話番号で特定される前記外部装置に前記対象データをＦＡＸ送信させるための情報である。
【０００７】
上記構成によれば、第２形式に変換した対象電話番号をＦＡＸ指示情報に含めるので、当該対象電話番号で特定される外部装置をＦＡＸ装置が正しく認識することができる。その結果、ＦＡＸの送信失敗や誤送信を抑制することができる。
【０００８】
(2)  好ましくは、前記記憶部に記憶される前記電話番号は、当該電話番号を構成する複数の数字の間に、前記第１形式の第１制御記号を含むことが可能である。前記第１制御記号は、数字信号を前記第１電話回線に送出するタイミングを示す制御記号である。前記数字信号は、前記電話番号を構成する各数字に対応する信号である。前記電話部は、前記第１制御記号で示されるタイミングで前記数字信号を前記第１電話回線に送出する。該ＦＡＸプログラムは、前記対象電話番号が前記第１制御記号を含むか否かを判断する第１判断処理と、前記第１制御記号を含むと前記第１判断処理で判断したことに応じて、当該第１制御記号を第２制御記号に置換する前記変換処理とを前記携帯端末に実行させる。前記第２制御記号は、前記第１制御記号と同等のタイミングを示す前記第２形式の前記制御記号である。
【０００９】
上記構成によれば、対象電話番号で示される数字信号をＦＡＸ装置が第２電話回線に正しい手順で送出することができる。その結果、ＦＡＸの送信失敗や誤送信が抑制される。
【００１０】
(3)  好ましくは、該ＦＡＸプログラムは、前記第２形式の前記制御記号を問い合わせる第１問合せ情報を、前記通信部を通じて前記ＦＡＸ装置に送信する第１問合せ処理と、前記第２制御記号を含む第１回答情報を前記通信部を通じて前記ＦＡＸ装置から受信する第１受信処理とを前記携帯端末に実行させ、前記変換処理において、前記対象電話番号に含まれる前記第１制御記号を、前記第１回答情報に含まれる前記第２制御記号に置換する。
【００１１】
上記構成によれば、ＦＡＸ装置毎に異なる制御記号が採用されている場合でも、各ＦＡＸ装置が正しく認識できる形式に対象電話番号を変換することができる。
【００１２】
(4)  好ましくは、前記携帯端末は、表示部を備える。前記ＦＡＸ装置は、前記第２制御記号を含む複数の前記電話番号を記憶している。該ＦＡＸプログラムは、前記ＦＡＸ装置に記憶された前記電話番号を、前記通信部を通じて当該ＦＡＸ装置から受信する第２受信処理と、前記記憶部に記憶された複数の前記電話番号、及び前記第２受信処理で受信した複数の前記電話番号を前記表示部に一覧表示させる一覧表示処理とを前記携帯端末に実行させる。前記第２受信処理で受信した前記電話番号は、前記第２制御記号が前記第１制御記号に置換された状態で前記表示部に表示される。該ＦＡＸプログラムは、前記第２受付処理において、前記一覧表示処理で一覧表示された複数の前記電話番号のうちから前記対象電話番号を指定するユーザ操作を、前記操作部を通じて受け付ける。
【００１３】
上記構成によれば、表示部に一覧表示させた複数の電話番号を見るユーザは、第１形式及び第２形式の違いを意識することなく、所望の電話番号を選択することができる。
【００１４】
(5)  例えば、該ＦＡＸプログラムは、前記第２受信処理で受信した前記電話番号に含まれる前記第２制御記号を、対応する前記第１制御記号に置換する逆変換処理を、前記一覧表示処理に先立って前記携帯端末に実行させ、前記変換処理において、前記対象電話番号に含まれる前記第１制御記号を、前記第２制御記号に置換する。
【００１５】
但し、逆変換処理は、携帯端末で実行されることに限定されず、ＦＡＸ装置で実行されてもよい。または、ＦＡＸ装置から受信した電話番号は、表示上でのみ第２制御記号が第１制御記号に置換されており、第２制御記号を含んだままで記憶部に一時記憶されていてもよい。
【００１６】
(6)  好ましくは、前記ＦＡＸ装置は、付加記号を記憶することが可能であり、当該ＦＡＸ装置の操作部を通じて指定された前記電話番号で識別される前記外部装置にＦＡＸ送信する場合に、当該電話番号の先頭に前記付加記号を付加する。該ＦＡＸプログラムは、前記付加記号が記憶されているか否かを問い合わせる第２問合せ情報を、前記通信部を通じて前記ＦＡＸ装置に送信する第２問合せ処理と、前記通信部を通じて前記ＦＡＸ装置から第２回答情報を受信する第３受信処理と、前記第２回答情報に前記付加記号が含まれているか否かを判断する第２判断処理と、前記付加記号が含まれていると前記第２判断処理で判断したことに応じて、当該付加記号を前記対象電話番号の先頭に付加する前記変換処理とを前記携帯端末に実行させる。
【００１７】
上記構成によれば、ＦＡＸ装置が予定している手順で外部装置と接続されるので、ＦＡＸの送信失敗や誤送信が抑制される。なお、付加記号とは、例えば、内線から外線に切り替える“０”、或いは通信事業者を特定する番号等であってもよい。
【００１８】
(7)  好ましくは、該ＦＡＸプログラムは、前記付加記号が含まれていると前記第２判断処理で判断したことに応じて、当該付加記号を前記対象電話番号の先頭に付加するか否かを示すユーザ操作を、前記操作部を通じて受け付ける第３受付処理を前記携帯端末に実行させ、付加することを示すユーザ操作を前記第３受付処理で受け付けたことに応じて、前記変換処理を実行する。
【００１９】
これにより、必要のない付加記号が付加されることを防止できる。
【００２０】
(8)  好ましくは、前記記憶部は、前記第１形式の第１接頭記号が先頭に付加された前記電話番号を記憶することが可能である。前記第１接頭記号は、前記第１電話回線を通じて第１国から前記第１国と異なる第２国に発信することを示す接頭記号である。該ＦＡＸプログラムは、前記対象電話番号が前記第１接頭記号を含むか否かを判断する第３判断処理と、前記第１接頭記号を含むと前記第３判断処理で判断したことに応じて、前記第２形式の第２接頭記号を取得する取得処理とを前記携帯端末に実行させる。前記第２接頭記号は、前記第２電話回線を通じて前記第１国から前記第２国に発信することを示す前記接頭記号である。該ＦＡＸプログラムは、前記変換処理において、前記対象電話番号に含まれる前記第１接頭記号を、前記取得処理で取得した前記第２接頭記号に置換する。
【００２１】
上記構成によれば、海外に設置された外部装置に対してＦＡＸ送信する場合に、当該ＦＡＸの送信失敗や誤送信が抑制される。
【００２２】
(9)  好ましくは、前記第２接頭記号は、前記第１国における複数の通信事業者の１つを指定する指定記号を含むことが可能である。該ＦＡＸプログラムは、前記取得処理で取得した複数の前記第２接頭記号の１つを指定するユーザ操作を、前記操作部を通じて受け付ける第４受付処理を前記携帯端末に実行させ、前記変換処理において、前記対象電話番号に含まれる前記第１接頭記号を、前記第４受付処理で指定を受け付けた前記第２接頭記号に置換する。
【００２３】
上記構成によれば、ユーザが所望する通信事業者を通じて、海外に設置された外部装置に、コンテンツデータをＦＡＸ送信することができる。
【００２４】
(10)  好ましくは、前記接頭記号は、前記電話番号で特定される前記外部装置が設置された前記第２国を示す相手国記号を含む。該ＦＡＸプログラムは、前記ＦＡＸ装置が設置された国を判断する第４判断処理を前記携帯端末に実行させ、前記ＦＡＸ装置が前記第１国に設置されていると前記第４判断処理で判断した場合の前記変換処理において、前記対象電話番号に含まれる前記第１接頭記号を前記第２接頭記号に置換し、前記ＦＡＸ装置が前記第２国に設置されていると前記第４判断処理で判断した場合の前記変換処理において、前記対象電話番号に含まれる前記第１接頭記号を第３接頭記号に置換する。前記第３接頭記号は、前記第２国内に設置された装置間の発信に共通して用いられる前記接頭記号である。
【００２５】
上記構成によれば、携帯端末を海外で利用する場合であっても、ＦＡＸの送信失敗や誤送信が抑制される。
【００２６】
(11)  好ましくは、前記ＦＡＸ装置は、通信装置を経由してインターネットに接続されている。該ＦＡＸプログラムは、前記第４判断処理において、前記通信装置に付与されたグローバルＩＰアドレスを取得し、当該グローバルＩＰアドレスが割り当てられた国を判断する。
【００２７】
(12)  好ましくは、前記携帯端末は、現在位置を示す位置情報を出力する位置出力部をさらに備える。該ＦＡＸプログラムは、前記第４判断処理において、前記位置出力部から出力される前記位置情報で示される国を判断する。
【００２８】
(13)  さらに好ましくは、前記携帯端末は、近接無線通信プロトコルに準拠した無線信号を送受信する近接通信部を備える。該ＦＡＸプログラムは、前記第４判断処理において、前記近接通信部を通じて前記ＦＡＸ装置から前記無線信号を受信したことに応じて、前記位置情報で示される国に前記ＦＡＸ装置が設置されていると判断する。
【００２９】
上記の各方法を組み合わせることによって、ＦＡＸ装置が設置された国を正しく判断できる可能性が向上する。
【００３０】
(14)  本明細書に記載の携帯端末は、操作部と、記憶部と、通話部と、通信部と、制御部とを備える。前記記憶部は、各々が外部装置を特定する第１形式の複数の電話番号を記憶している。前記電話部は、前記第１形式の前記電話番号で特定される前記外部装置との間において、第１電話回線を通じて音声信号を送受信する。前記通信部は、ＦＡＸ装置と電気的に接続することが可能である。前記ＦＡＸ装置は、前記第１形式と異なる第２形式の前記電話番号で特定される前記外部装置に対して、前記第１電話回線と異なる第２電話回線を通じて、ＦＡＸプロトコルに従ってコンテンツデータをＦＡＸ送信する。前記制御部は、ＦＡＸ送信すべき前記コンテンツデータである対象データを指定するユーザ操作を、前記操作部を通じて受け付ける第１受付処理と、前記記憶部に記憶された複数の前記電話番号のうちのいずれかである対象電話番号を指定するユーザ操作を、前記操作部を通じて受け付ける第２受付処理と、前記対象電話番号を前記第１形式から前記第２形式に変換する変換処理と、前記対象データ及び前記第２形式の前記対象電話番号を含むＦＡＸ指示情報を、前記通信部を通じて前記ＦＡＸ装置に送信するＦＡＸ指示処理とを実行する。前記ＦＡＸ指示情報は、前記対象電話番号で特定される前記外部装置に前記対象データをＦＡＸ送信させるための情報である。
【発明の効果】
【００３１】
本発明によれば、第２形式に変換した対象電話番号をＦＡＸ指示情報に含めるので、当該対象電話番号で特定される外部装置をＦＡＸ装置が正しく認識することができる。その結果、ＦＡＸの送信失敗や誤送信を抑制することができる。
【図面の簡単な説明】
【００３２】
【図１】図１は、本実施形態に係るＦＡＸシステム１００の概略構成図である。
【図２】図２は、（Ａ）が複合機１０のブロック図であり、（Ｂ）が携帯端末５０のブロック図である。
【図３】図３は、データ記憶領域６２Ｂに記憶された情報の一例であって、（Ａ）は複合機１０に登録された宛先リストを、（Ｂ）は複合機１０に登録されたプレフィックス番号を、（Ｃ）は携帯端末５０に登録された宛先リストを示す。
【図４】図４は、ＦＡＸ指示処理のフローチャートである。
【図５】図５は、フォーマット変換処理１のフローチャートである。
【図６】図６は、フォーマット変換処理２のフローチャートである。
【図７】図７は、フォーマット変換処理３のフローチャートである。
【図８】図８は、表示部５３の表示例であって、（Ａ）はデータ選択画面を、（Ｂ）はプレビュー画面を示す。
【図９】図９は、表示部５３の表示例であって、（Ａ）宛先選択画面を、（Ｂ）は確認画面を示す。
【図１０】図１０は、事業者選択画面の表示例を示す図である。
【発明を実施するための形態】
【００３３】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００３４】
図１は、本実施形態におけるＦＡＸシステム１００の概略図である。図１に示されるＦＡＸシステム１００は、複合機１０と、携帯端末５０とで構成されている。複合機１０及び携帯端末５０は、電気的に接続されている。複合機１０及び携帯端末５０は、通信ネットワークを通じて接続されていてもよいし、ＵＳＢ（Ｕｎｉｖｅｒｓａｌ  Ｓｅｒｉａｌ  Ｂｕｓの略）ケーブル等によって接続されていてもよい。通信ネットワークの具体例は特に限定されないが、例えば、インターネット１０１、有線ＬＡＮ（Ｌｏｃａｌ  Ａｒｅａ  Ｎｅｔｗｏｒｋの略）、無線ＬＡＮ１０２、或いはこれらの組み合わせであってもよい。複数の装置が通信できる状態は、複数の装置が「電気的に接続されている」状態の一例である。
【００３５】
複合機１０及び携帯端末５０は、図１に示されるように、無線ＬＡＮ１０２に属している。また、無線ＬＡＮ１０２は、ルータ１０２Ａを通じてインターネット１０１に接続されている。なお、「無線ＬＡＮ１０２に属する」とは、無線ＬＡＮ１０２に属するための設定がされており、無線ＬＡＮ１０２に属する他の装置と通信可能であることを指す。より詳細には、複合機１０及び携帯端末５０には、不図示のアクセスポイントと同じＳＳＩＤが設定されており、無線ＬＡＮ１０２に割り当てられたネットワークアドレスが付与されている。ルータ１０２Ａは、通信装置の一例である。
【００３６】
［複合機１０］
複合機１０は、図２（Ａ）に示されるように、プリンタ部１１と、スキャナ部１２と、ＦＡＸ部１３と、表示部２３と、操作部２４と、通信部２５と、ＣＰＵ３１と、記憶部３２と、通信バス３３とを主に備える。複合機１０を構成する各構成要素は、通信バス３３を通じて相互に接続されている。複合機１０は、ＦＡＸ装置の一例である。なお、本実施形態に係るＦＡＸ装置は、複合機１０に限定されず、プリンタ部１１やスキャナ部１２を有しないＦＡＸ単能機であってもよい。
【００３７】
［プリンタ部１１、スキャナ部１２、ＦＡＸ部１３］
プリンタ部１１は、画像データで示される画像を記録用紙に記録するプリント動作を実行する。記録用紙は、シート或いは記録媒体の一例である。プリンタ部１１の記録方式として、インクジェット方式や電子写真方式などの公知の方式を採用することができる。スキャナ部１２は、原稿に記録されている画像を読み取って画像データを生成するスキャン動作を実行する。ＦＡＸ部１３は、ＦＡＸプロトコルに準拠した方式でコンテンツデータを送受信するＦＡＸ送信動作及びＦＡＸ受信動作を実行する。スキャナ部１２が生成したスキャンデータは、コンテンツデータの一例である。スキャンデータをＦＡＸ送信用に変換したデータは、コンテンツデータの一例である。通信部２５を通じて外部装置から受信した画像データは、コンテンツデータの一例である。
【００３８】
ＦＡＸ部１３は、操作部２４を通じて入力を受け付けた電話番号、或いはデータ記憶領域３２Ｂに記憶された電話番号のうち、操作部２４を通じて選択された電話番号を用いて、外部装置にコンテンツデータをＦＡＸ送信する。すなわち、ＦＡＸ送信先の外部装置は、例えば、操作部２４を通じて入力を受け付けた電話番号、或いはデータ記憶領域３２Ｂに記憶された電話番号によって特定される。電話番号は、複数の数字を組み合わせて構成される。ＦＡＸ部１３は、例えば、電話番号を構成する各数字に対応する数字信号を固定電話回線に送出（以下、「発信」と表記することがある。）することによって、基地局１０３を通じて外部装置と接続する。固定電話回線は、例えば、複合機１０と基地局１０３とを有線接続する第２電話回線の一例である。
【００３９】
［表示部２３］
表示部２３は、各種情報を表示する表示画面を備える。表示部２３としては、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００４０】
［操作部２４］
操作部２４は、表示部２３の表示画面に表示されたオブジェクトを選択するユーザの操作を受け付ける。具体的には、操作部２４はボタンを有しており、押下されたボタンに対応づけられた各種の操作信号をＣＰＵ３１へ出力する。さらに、操作部２４は、表示部２３の表示画面に重畳された膜状のタッチセンサを有していてもよい。すなわち、表示部２３がタッチパネルディスプレイとして構成されてもよい。
【００４１】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク等であって、タッチ位置に表示されたオブジェクトが選択されてもよい。
【００４２】
タッチパネルとして実現される操作部２４は、表示部２３の表示画面をタッチするユーザ操作を受け付ける。また、操作部２４は、ユーザがタッチした表示画面上の位置を示す位置情報を出力する。位置情報は、例えば、表示画面の左上端を原点とし、右向きをｘ軸の正の向き、下向きをｙ軸の正の向きとしたｘ−ｙ平面上の座標（ｘ，ｙ）として表現できる。タッチセンサには、静電容量方式、抵抗膜方式等の周知の方式を採用することができる。
【００４３】
なお、本明細書中における「タッチ」とは、入力媒体を表示画面に接触させる操作全般を含む。すなわち、タッチした入力媒体を所定時間内に表示画面から離間させるタップ操作、タッチした入力媒体を表示画面上で静止させるロングタッチ操作、タッチした入力媒体を表示画面上でスライドさせるスライド操作、表示画面上をスライドする入力媒体の加速度が閾値以上であるフリック操作、表示画面上の異なる位置にタッチした２つの入力媒体を互いに近づける向きにスライドさせるピンチイン操作、表示画面上の異なる位置にタッチした２つの入力媒体を互いに離れる向きにスライドさせるピンチアウト操作等は、タッチの一例である。
【００４４】
また、入力媒体が表示画面に触れていなくても、表示画面との間の距離がごく僅かな位置まで入力媒体を近接させることを、前述の「タッチ」の概念に含めてもよい。さらに入力媒体とは、ユーザの指であってもよいし、タッチペン等であってもよい。以下、表示部５３に表示されたアイコンの位置のタップを、当該アイコンを選択するユーザ操作の一例として説明する。
【００４５】
［通信部２５］
通信部２５は、通信ネットワークを通じて外部装置と通信を行うためのインタフェースである。すなわち、複合機１０は、通信部２５を通じて携帯端末５０に各種情報を出力し、通信部２５を通じて携帯端末５０から各種データ又は各種情報を受信する。通信部２５の具体的な通信手順は特に限定されないが、例えば、Ｗｉ−Ｆｉ（Ｗｉ−Ｆｉ  Ａｌｌｉａｎｃｅの登録商標）を採用することができる。なお、複合機１０は、通信部２５に代えて、ＵＳＢケーブル等を装着するインタフェースを有していてもよい。
【００４６】
［ＣＰＵ３１］
ＣＰＵ（Ｃｅｎｔｒａｌ  Ｐｒｏｃｅｓｓｉｎｇ  Ｕｎｉｔの略）３１は、複合機１０の全体動作を制御するものである。ＣＰＵ３１は、操作部２４から出力される各種情報、及び通信部２５を通じて外部装置から取得した各種情報等に基づいて、後述する各種プログラムを記憶部３２から取得して実行する。すなわち、ＣＰＵ３１及び記憶部３２は、制御部の一例を構成する。
【００４７】
［記憶部３２］
記憶部３２は、プログラム記憶領域３２Ａと、データ記憶領域３２Ｂとを有する。プログラム記憶領域３２Ａには、ＯＳ（Ｏｐｅｒａｔｉｎｇ  Ｓｙｓｔｅｍの略）３４と、制御プログラム３５とが格納される。なお、本明細書中のプログラムは、単一のプログラムであってもよいし、複数のプログラムの集合体であってもよい。データ記憶領域３２Ｂには、制御プログラム３５の実行に必要なデータ或いは情報が記憶される。
【００４８】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００４９】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２“というテキスト形式の情報として保持され、別のコンピュータでは二進数表記で”１０“というバイナリ形式の情報として保持されてもよい。
【００５０】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００５１】
記憶部３２は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ３１が備えるバッファ等、或いはそれらの組み合わせによって構成される。
【００５２】
なお、記憶部３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００５３】
プログラム記憶領域３２Ａに記憶されているプログラムは、ＣＰＵ３１によって実行される。しかしながら、本明細書では、ＣＰＵ３１を省略して各プログラムの動作を説明することがある。すなわち、以下の説明において、「プログラムＡが処理Ａを実行する」という趣旨の記述は、「ＣＰＵ３１がプログラムＡに記述された処理Ａを実行する」ことを指してもよい。後述する携帯端末５０についても同様である。
【００５４】
また、プログラム記憶領域３２Ａに記憶されているプログラムは、事象を判断し、判断結果に応じて動作する。しかしながら、本明細書では、判断することを省略して各プログラムの動作を説明することがある。すなわち、以下の説明において、「制御プログラムが条件Ａに応じて、処理Ａを実行する」という趣旨の記述は、「制御プログラムは条件Ａであるか否かを判断する。制御プログラムは、肯定判断であることに応じて、処理Ａを実行する」ことを指してもよい。
【００５５】
また、プログラム記憶領域３２Ａに記憶されているプログラムは、データ等を特定し、抽出し、或いは選択する。プログラムがデータ等を特定するとは、例えば、複数のデータ等のうちから条件に合致するデータを特定し、当該データ等そのもの或いは当該データ等を識別する情報を、予め定められた記憶領域に記憶させる処理を指す。データ等を識別する情報とは、例えば、当該データ等を識別する識別情報、当該データ等が記憶された配列のインデックス、当該データ等が記憶された記憶領域のポインタ等である。プログラムがデータ等を抽出し、或いは選択する処理も同様である。
【００５６】
また、プログラム記憶領域３２Ａに記憶されているプログラムは、データ等を取得する。プログラムがデータ等を取得するとは、例えば、データが記憶された記憶領域からデータを読み出す処理を指してもよい。プログラムがデータ等を取得するとは、例えば、外部装置から送信されたデータを受信する処理を指してもよい。プログラムがデータ等を取得するとは、例えば、外部データにデータの返信を要求し、外部装置から返信されたデータを受信する処理を指してもよい。プログラムがデータ等を取得するとは、例えば、ＯＳなどの他のプログラムが出力したデータを受信する処理を指してもよい。プログラムがデータ等を取得するとは、例えば、他のプログラムにデータの出力を要求し、他のプログラムから出力されたデータを受信する処理を指してもよい。
【００５７】
ＯＳ３４は、複合機１０を構成するハードウェアであるプリンタ部１１、スキャナ部１２、ＦＡＸ部１３、表示部２３、操作部２４、及び通信部２５等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３４が提供するＡＰＩを呼び出すことによって、各ハードウェアを制御する。しかしながら、本明細書では、ＯＳ３４を省略して各プログラムの動作を説明することがある。すなわち、以下の説明において、「プログラムＢがハードウェアＣを制御する」という趣旨の記述は、「プログラムＢがＯＳ３４のＡＰＩを通じてハードウェアＣを制御する」ことを指してもよい。後述する携帯端末５０についても同様である。
【００５８】
データ記憶領域３２Ｂは、図３（Ａ）に示されるように、宛先ＩＤと、宛先ＩＤに対応付けられた名前情報及び電話番号とを記憶している。以下、図３（Ａ）に示される情報を総称して「宛先リスト」と表記することがあり、図３（Ａ）に示される各レコードを「宛先レコード」と表記することがある。すなわち、宛先リストは、複数の宛先レコードを含むことができる。宛先ＩＤは、宛先レコードを識別する識別情報の一例である。名前情報は、対応する電話番号で特定される外部装置を所有する人或いは組織を示す名前を示す。データ記憶領域３２Ｂに記憶される電話番号は、第２形式の一例である。宛先レコードは、例えば、操作部２４を通じてユーザによって設定される。なお、図３（Ａ）に示される宛先リストは、データ記憶領域３２Ｂの不揮発性の領域に記憶されている。すなわち、複合機１０の電源を切ったとしても、宛先リストは、データ記憶領域３２Ｂに記憶されたままである。
【００５９】
なお、本明細書において、「電話番号」とは、外部装置を特定する数字列のみを指す場合もあるし、当該数字列と各種記号との組み合わせを指す場合もある。すなわち、本明細書における電話番号は、一般的に電話番号と呼ばれる数字列に各種記号を付加したものを指す場合がある。また、「記号」とは、数字或いは数字列のみで構成されていてもよいし、数字以外の記号（例えば、“，”、“＠”、“−”、“Ｐ”等）で構成されていてもよいし、これらの組み合わせであってもよい。
【００６０】
また、本明細書において、複合機１０或いは固定電話回線に固有の記号を含む電話番号を「第２形式の電話番号」と表記し、携帯端末５０或いは移動体電話回線に固有の記号を含む電話番号を「第１形式の電話番号」と表記することがある。「固有の記号」とは、記号とその意味内容との対応関係が装置毎或いは回線毎に独立して定められていることを指す。換言すれば、同一の意味内容を指す記号が装置毎或いは回線毎に異なっていてもよいことを意味する。
【００６１】
さらに、本明細書において、電話番号或いは各種記号の間の“−”は、電話番号の構成を明らかにするために便宜的に付与したものである。すなわち、本明細書中の“−”は、実データとしてデータ記憶領域３２Ｂ、６２Ｂに記憶されず、複合機１０及び携帯端末５０の間で送受信されない。但し、本明細書中では特に詳しく説明しないが、“−”を制御記号として用いてもよい。制御記号として用いられる“−”は、電話番号内に実データとして含まれる。すなわち、制御記号“−”を含む電話番号が、データ記憶領域３２Ｂ、６２Ｂに記憶され、複合機１０及び携帯端末５０の間で送受信されてもよい。
【００６２】
宛先ＩＤ“００１”に対応する電話番号“ａａ−ａａａ−ａａａａ，ａａａ”は、電話番号を構成する複数の数字の間に第２制御記号“，”を含む。第２制御記号“，”は、数字信号の送出タイミングを制御する第２形式の制御記号の一例である。より詳細には、第２制御記号“，”は、ポーズ制御を示すＰＡＵＳＥ記号である。なお、ＰＡＵＳＥ記号の具体例は“，”に限定されず、例えば、“−”等であってもよい。ポーズ制御は、例えば、当該第２制御記号の前後に位置する数字に対応する連続する２つの数字信号の送出間隔を、他の連続する２つの数字信号の送出間隔より長くする制御であってよい。また、送出間隔の差は、例えば３秒であってもよい。
【００６３】
但し、第２制御記号の具体例はこれに限定されず、例えば、ウェイト制御を示すＷＡＩＴ記号や、フラッシュ制御を示すＦＬＡＳＨ記号等であってもよい。ウェイト制御は、当該第２制御記号の前に位置する数字に対応する数字信号を送出した後に、所定のユーザ操作を受け付けたことに応じて、当該第２制御記号の後に位置する数字に対応する数字信号を送出する制御である。フラッシュ制御は、当該第２制御記号の前に位置する数字に対応する数字信号を送出した後に所定の信号を送出し、それから、当該第２制御記号の後に位置する数字に対応する数字信号を送出する制御である。フラッシュ制御で送出される所定の信号は、フラッシュ信号と呼ばれることがある。第２制御記号“，”は、例えば、複合機１０に固有の記号であってもよい。
【００６４】
宛先ＩＤ“００２”に対応する電話番号“０１０１−ｂｂ−ｂｂｂ−ｂｂｂｂ”は、電話番号の先頭に第２プレフィックス記号“０１０１”を含む。第２プレフィックス記号“０１０１”は、固定電話回線を通じて第１国から第１国と異なる第２国に発信することを示す第２形式の第２接頭記号或いは国際プレフィックス記号の一例である。第２プレフィックス記号“０１０１”は、国際電話の認識番号“０１０”と、第２国の国番号“１”（以下、「相手国記号」と表記する。）とを含む。本実施形態における第２プレフィックス記号は、第１国の一例である日本から第２国の一例であるアメリカへ発信する場合の接頭記号である。但し、第１国及び第２国の具体例は、これらの限定されない。第２プレフィックス記号“０１０１”は、例えば、固定電話回線に固有の記号であってもよい。
【００６５】
また、第２プレフィックス記号は、第１国における複数の通信事業者の１つを指定する指定記号をさらに含んでもよい。指定記号は、例えば“００３３”、“００１”のように、通信事業者に一意に割り当てられている。指定記号を含む第２プレフィックス記号は、例えば、“００３３−０１０１”、“００１−０１０１”のように表される。なお、指定記号の付加は任意であって、省略することができる。
【００６６】
また、データ記憶領域３２Ｂは、図３（Ｂ）に示されるように、プレフィックス番号を記憶することができる。プレフィックス番号は、電話番号の先頭に共通して付加される付加記号の一例である。本実施形態におけるプレフィックス番号は、複合機１０が内線交換機を通じて基地局１０３と接続される場合に、外線発信であることを示す“０”である。但し、プレフィックス番号の具体例はこれに限定されず、例えば、特定の事業者の国内電話サービスを利用することを示す“００７７”等の事業者識別番号であってもよい。プレフィックス番号は、例えば、操作部２４を通じてユーザによって設定される。
【００６７】
制御プログラム３５は、操作部２４を通じて指定された電話番号の先頭に図３（Ｂ）に示されるプレフィックス番号を付加し、プレフィックス番号が付加された電話番号を用いてＦＡＸ部１３にＦＡＸ送信動作を実行させる。「操作部２４を通じて指定された」とは、電話番号を直接入力すること、及び宛先リストに含まれる電話番号を指定することの両方を含んでもよい。一方、制御プログラム３５は、後述するＦＡＸ指示情報を通信部２５を通じて携帯端末５０から受信した場合に、当該ＦＡＸ指示情報に含まれる電話番号にプレフィックス番号を付加せずに、当該電話番号を用いてＦＡＸ部１３にＦＡＸ送信動作を実行させる。
【００６８】
［携帯端末５０］
携帯端末５０は、図２（Ｂ）に示されるように、表示部５３と、操作部５４と、通信部５５と、電話部５６と、ＣＰＵ６１と、記憶部６２と、通信バス６３とを主に備える。携帯端末５０に含まれる表示部５３、操作部５４、通信部５５、ＣＰＵ６１、記憶部６２、及び通信バス６３は、複合機１０に含まれる表示部２３、操作部２４、通信部２５、ＣＰＵ３１、記憶部３２、及び通信バス３３と共通するので、再度の説明は省略する。ＣＰＵ６１及び記憶部６２は、制御部の一例である。携帯端末５０は、例えば、スマートフォン、携帯電話、或いはタブレット端末等である。
【００６９】
［電話部５６］
電話部５６は、外部装置との間で音声データを送受信する通話機能を実現する。通話機能の実現には、例えば、携帯端末５０が備える不図示のマイク及び不図示のスピーカがさらに利用される。すなわち、携帯端末５０は、不図示のマイクで集音した音声を示す音声データを電話部５６を通じて外部装置に送信し、電話部５６を通じて外部装置から受信した音声データで示される音声を不図示のスピーカを通じて出力する。
【００７０】
電話部５６は、操作部５４を通じて入力を受け付けた電話番号、或いはデータ記憶領域６２Ｂに記憶された電話番号のうち、操作部５４を通じて選択された電話番号を用いて、外部装置との間で音声データを送受信する。すなわち、電話部５６が音声データを送受信する外部装置は、例えば、操作部５４を通じて入力を受け付けた電話番号、或いはデータ記憶領域６２Ｂに記憶された電話番号によって特定される。そして、電話部５６は、電話番号を構成する各数字に対応する数字信号を移動体通信回線に送出することによって、基地局１０４を通じて外部装置と接続することができる。移動体通信回線は、例えば、携帯端末５０と基地局１０４とを無線接続する第１電話回線の一例である。
【００７１】
記憶部６２のプログラム記憶領域６２Ａには、ＯＳ６４と、ＦＡＸプログラム６５とが格納されている。また、データ記憶領域６２Ｂは、図３（Ｃ）に示されるように、宛先リストを記憶している。宛先リストの基本的なデータ構造は、図３（Ａ）と共通であってもよい。なお、データ記憶領域３２Ｂ、６２Ｂには、同一の電話番号を含む宛先レコードが記憶されていてもよい。なお、図３（Ｃ）に示される宛先リストは、データ記憶領域６２Ｂの不揮発性の領域に記憶されている。すなわち、携帯端末５０の電源を切ったとしても、宛先リストは、データ記憶領域６２Ｂに記憶されたままである。さらに、データ記憶領域６２Ｂには、コンテンツデータが格納されるコンテンツデータフォルダが設けられていてもよい。コンテンツデータは、例えば、画像データ、写真データ、ドキュメントデータ、表計算データ、或いはプレゼンテーションデータ等であってもよい。
【００７２】
宛先ＩＤ“１０１”に対応する電話番号“ｘｘ−ｘｘｘ−ｘｘｘｘ＠ｘｘｘ”は、電話番号を構成する複数の数字の間に第１制御記号“＠”を含む。第１制御記号“＠”は、数字信号の送出タイミングを制御する第１形式の制御記号の一例である。第１形式における第１制御記号“＠”で示される数字信号の送出タイミングは、第２形式における第２制御記号“，”と同等である。第１制御記号“＠”は、例えば、携帯端末５０に固有の記号であってもよい。
【００７３】
宛先ＩＤ“１０３”に対応する電話番号“＋１−ｚｚ−ｚｚｚ−ｚｚｚｚ”は、電話番号の先頭に第１プレフィックス記号“＋１”を含む。第１プレフィックス記号“＋１”は、移動体通信回線を通じて第１国から第１国と異なる第２国に発信することを示す第１形式の第１接頭記号或いは国際プレフィックス記号の一例である。第１プレフィックス記号“＋１”は、国際電話の認識番号“＋”と、相手国記号“１”とを含む。本実施形態における第１プレフィックス記号は、アメリカ以外の国からアメリカへ発信する場合の接頭記号である。第１プレフィックス記号“＋１”は、例えば、移動体通信回線に固有の記号であってもよい。
【００７４】
なお、データ記憶領域３２Ｂ、６２Ｂに記憶される電話番号には、制御記号及びプレフィックス記号の両方が付加されてもよい。または、データ記憶領域３２Ｂ、６２Ｂに記憶される電話番号には、宛先ＩＤ“００３”に対応する電話番号“ｃｃ−ｃｃｃ−ｃｃｃｃ”、及び宛先ＩＤ“１０２”に対応する電話番号“ｙｙ−ｙｙｙ−ｙｙｙｙ”のように、制御記号及びプレフィックス記号の両方が付加されていなくてもよい。制御記号及びプレフィックス記号の両方を含まない電話番号は、第１形式と第２形式とで共通の形式であってもよい。
【００７５】
［ＦＡＸシステム１００の動作］
図４〜図１０を参照して、本実施形態に係るＦＡＸシステム１００の動作を説明する。ＦＡＸシステム１００は、対象データ及び対象電話番号の指定を携帯端末５０が受け付け、対象電話番号で特定される外部装置に対して複合機１０が対象データをＦＡＸ送信するものである。
【００７６】
まず、携帯端末５０のＦＡＸプログラム６５は、データ選択画面を表示部５３に表示させる（Ｓ１１）。図８（Ａ）は、データ選択画面の一例である。図８（Ａ）に示されるデータ選択画面は、複数のデータアイコン１１１、１１２、１１３を含む。データアイコン１１１〜１１３は、対象データとして指定可能なコンテンツデータに対応するデータオブジェクトの一例である。データアイコン１１１〜１１３には、対応するコンテンツデータのデータＩＤ（例えば、ファイル名）が記述される。データアイコン１１１〜１１３に対応するコンテンツデータは、コンテンツデータフォルダに記憶されているものであってもよいし、通信部５５を通じて通信可能な不図示のサーバに記憶されているものであってもよい。
【００７７】
次に、ＦＡＸプログラム６５は、データ選択画面に含まれるアイコンの選択を操作部５４を通じて受け付ける（Ｓ１２）。そして、ＦＡＸプログラム６５は、選択されたデータアイコンに対応するコンテンツデータを、対象データとしてデータ記憶領域６２Ｂに一時記憶させる。または、ＦＡＸプログラム６５は、対象データそのものではなく、対象データを特定する情報（以下、「対象データＩＤ」と表記する。）をデータ記憶領域６２Ｂに一時記憶させてもよい。対象データＩＤは、例えば、対象データの記憶場所を示す情報でもよいし、対象データを示すＵＲＬでもよい。ステップＳ１２の処理は、第１受付処理の一例である。データアイコン１１１〜１１３の選択は、対象データを指定するユーザ操作の一例である。本実施形態では、データアイコン１１１が選択されたものとして、以降の説明を継続する。
【００７８】
次に、ＦＡＸプログラム６５は、データアイコン１１１の選択を操作部５４を通じて受け付けたことに応じて（Ｓ１２：Ｙｅｓ）、プレビュー画面を表示部５３に表示させる（Ｓ１３）。図８（Ｂ）は、プレビュー画面の一例である。図８（Ｂ）に示されるプレビュー画面は、プレビュー画像１１５と、対象電話番号を表示するテキストボックス１１６と、［宛先］アイコンと、［送信］アイコンとを含む。また、ＦＡＸプログラム６５は、プレビュー画面に含まれるアイコンの選択を操作部５４を通じて受け付ける（Ｓ１４）。
【００７９】
プレビュー画像１１５は、対象データがＦＡＸ送信され、ＦＡＸ受信した装置において対象データで示される画像が記録用紙に記録されたイメージを示す。図８（Ｂ）に示されるプレビュー画像１１５は、対象データＩＤ“写真．ＪＰＥＧ”で示される画像にＦＡＸヘッダが付加されたものである。ＦＡＸヘッダは、例えば、ＦＡＸ送信元を示す名称と、ＦＡＸ送信時刻とを含む。テキストボックス１１６には、後述する宛先選択処理で選択された対象電話番号、或いは直接入力された対象電話番号が表示される。［宛先］アイコンは、宛先リストに含まれる電話番号のうちから、ユーザに対象電話番号を指定させる処理に対応する。［送信］アイコンは、対象データに対するＦＡＸ送信動作を複合機１０に実行させる指示に対応する。
【００８０】
そして、ＦＡＸプログラム６５は、テキストボックス１１６の選択を操作部５４を通じて受け付けたことに応じて、例えば不図示のソフトウェアキーボードを表示部５３に表示させ、当該ソフトウェアキーボードを通じて入力された電話番号を、当該テキストボックス１１６に表示する。そして、ＦＡＸプログラム６５は、テキストボックス１１６に表示された電話番号を、対象電話番号としてデータ記憶領域６２Ｂに一時記憶させる。
【００８１】
また、ＦＡＸプログラム６５は、［宛先］アイコンの選択を操作部５４を通じて受け付けたことに応じて（Ｓ１４：［宛先］アイコン）、通信部５５を通じて複合機１０から宛先リストを受信する（Ｓ１５）。ＦＡＸプログラム６５は、例えば、通信部５５を通じて複合機１０にリスト要求情報を送信する。リスト要求情報は、データ記憶領域３２Ｂに記憶された宛先リストの送信を要求するための情報である。そして、ＦＡＸプログラム６５は、データ記憶領域３２Ｂに記憶された宛先リストを、通信部５５を通じて複合機１０から受信する。ステップＳ１５の処理は、第２受信処理の一例である。
【００８２】
そして、ＦＡＸプログラム６５は、受信した宛先リストをデータ記憶領域６２Ｂに一時記憶させる。一例として、「宛先リストをデータ記憶領域６２Ｂに一時記憶させる」とは、当該宛先リストをデータ記憶領域６２Ｂの揮発性の領域に記憶させることであってもよい。他の例として、「宛先リストをデータ記憶領域６２Ｂに一時記憶させる」とは、ステップＳ２１でＦＡＸ指示情報の送信が行われた後に、ＦＡＸプログラム６５によって削除されることを前提に、当該宛先リストをデータ記憶領域６２Ｂに記憶させることであってもよい。
【００８３】
次に、ＦＡＸプログラム６５は、ステップＳ１５で受信した電話番号に含まれる第２制御記号“，”を第１制御記号“＠”に置換する（Ｓ１６）。具体的には、ＦＡＸプログラム６５は、比較対象とする比較記号“，”と、ステップＳ１５で受信した電話番号に含まれる各記号を比較する。そして、ＦＡＸプログラム６５は、比較記号“，”と一致する記号が電話番号に含まれると判断したことに応じて、当該記号を第１制御記号“＠”に置換する。そして、ＦＡＸプログラム６５は、データ記憶領域６２Ｂに一時記憶させた宛先リスト内の電話番号を、制御記号を置換した電話番号で上書きする。ステップＳ１６の処理は、一覧表示処理に先立って実行される逆変換処理の一例である。
【００８４】
なお、比較記号“，”は、ＦＡＸプログラム６５自身に予めコーディングされていてもよい。ＦＡＸプログラム６５が起動時等に読み込む設定ファイルに定義されていてもよい。なお、設定ファイルは、例えば、ＦＡＸプログラム６５が携帯端末５０にインストールされる際に、データ記憶領域６２Ｂに保存されてもよい。また、ＦＡＸプログラム６５は、不図示のサーバから比較記号“，”をダウンロードし、設定ファイルに記憶させてもよい。さらに、ＦＡＸプログラム６５は、後述するステップＳ２６、Ｓ２７に相当する処理をステップＳ１５でさらに実行することによって、比較記号“，”を電話番号と共に複合機１０から受信してもよい。
【００８５】
なお、第２制御記号は、前述したように、複合機１０の機種毎に異なる可能性がある。より詳細には、第２制御記号は、複合機１０の仕向け国毎、或いは仕向け地域毎に異なる可能性がある。そこで、ＦＡＸプログラム６５は、同一の意味（例えば、ＰＡＵＳＥ制御）を表す複数の比較記号を、複合機１０の機種を示すモデル情報と対応付けて記憶していてもよい。また、ＦＡＸプログラム６５は、ステップＳ１５において、当該複合機１０のモデル情報を宛先リストと共に受信してもよい。そして、ＦＡＸプログラム６５は、ステップＳ１６において、受信したモデル情報に対応する比較記号と、受信した宛先リスト内の電話番号に含まれる記号とを比較してもよい。
【００８６】
次に、ＦＡＸプログラム６５は、宛先選択画面を表示部５３に表示させる（Ｓ１７）。図９（Ａ）は、宛先選択画面の一例である。図９（Ａ）に示される宛先選択画面は、宛先アイコン１２１、１２２、１２３、１２４、１２５、１２６を含む。宛先アイコン１２１〜１２６は、ステップＳ１５で複合機１０から取得してデータ記憶領域６２Ｂに一時記憶させた宛先リスト内の宛先レコードと、データ記憶領域６２Ｂの不揮発性の領域に記憶されている宛先リスト内の宛先レコードとに対応する。すなわち、宛先アイコン１２１〜１２６は、図３（Ａ）に示される宛先レコードと、図３（Ｃ）に示される宛先レコードとに対応する。宛先アイコン１２１〜１２６には、対応する宛先レコードに含まれる名前情報で示される名前及び電話番号が記述されている。ステップＳ１７の処理は、一覧表示処理の一例である。
【００８７】
なお、宛先アイコン１２１には、宛先ＩＤ“００１”を含む宛先レコードが対応付けられている。しかしながら、宛先アイコン１２１には、対応する宛先レコードに含まれる電話番号“ａａ−ａａａ−ａａａａ，ａａａ”の第２制御記号“，”が第１制御記号“＠”に置換された状態で記述されている。すなわち、ＦＡＸプログラム６５は、ステップＳ１７において、データ記憶領域６２Ｂに一時記憶させた電話番号、すなわち、制御記号が置換された電話番号を、対応する宛先アイコンに記述する。
【００８８】
次に、ＦＡＸプログラム６５は、宛先選択画面に一覧表示された宛先アイコン１２１〜１２６の選択を操作部５４を通じて受け付ける（Ｓ１８）。そして、ＦＡＸプログラム６５は、宛先アイコン１２１〜１２６の１つの選択を操作部５４を通じて受け付けたことに応じて（Ｓ１８：Ｙｅｓ）、当該宛先アイコンに対応する宛先レコードを、対象宛先レコードとしてデータ記憶領域６２Ｂに一時記憶させる（Ｓ１９）。また、ＦＡＸプログラム６５は、対象宛先レコードの取得先を示す情報をデータ記憶領域６２Ｂに一時記憶させる。宛先アイコン１２１〜１２６の選択は、対象電話番号を指定するユーザ操作の一例である。対象宛先レコードに含まれる電話番号は、対象電話番号の一例である。ステップＳ１８の処理は、第２受付処理の一例である。
【００８９】
次に、ＦＡＸプログラム６５は、プレビュー画面を表示部５３に再び表示させる（Ｓ１３）。ステップＳ１５〜Ｓ１９を実行した後のプレビュー画面は、テキストボックス１１６に対象電話番号が表示されている点において、図８（Ｂ）に示されるプレビュー画面と相違する。そして、ＦＡＸプログラム６５は、［送信］アイコンの選択を操作部５４を通じて受け付けたことに応じて（Ｓ１４：［送信］アイコン）、フォーマット変換処理を実行する（Ｓ２０）。フォーマット変換処理は、対象電話番号を第１形式から第２形式に変換する処理である。フォーマット変換処理の詳細は、図５〜図７を参照して後述する。
【００９０】
そして、ＦＡＸプログラム６５は、通信部５５を通じて複合機１０にＦＡＸ指示情報を送信する（Ｓ２１）。ＦＡＸ指示情報は、対象電話番号で特定される外部装置に対象データをＦＡＸ送信させるための情報である。ＦＡＸ指示情報は、対象データと、第２形式の対象電話番号とを含む。なお、ＦＡＸ指示情報は、対象データそのものではなく、ＵＲＬ等の対象データＩＤを含んでいてもよい。また、対象宛先レコードの取得先が複合機１０である場合、ＦＡＸ指示情報は、対象電話番号に代えて、対象宛先レコ−ドに含まれる宛先ＩＤを含んでもよい。ステップＳ２１の処理は、ＦＡＸ指示処理の一例である。
【００９１】
一方、複合機１０の制御プログラム３５は、通信部２５を通じて携帯端末５０からＦＡＸ指示情報を受信する。そして、制御プログラム３５は、受信したＦＡＸ指示情報に従ったＦＡＸ送信動作をＦＡＸ部１３に実行させる。すなわち、ＦＡＸ部１３は、ＦＡＸ指示情報に含まれる第２形式の対象電話番号に対応する数字信号を固定電話回線に送出することによって、当該対象電話番号で特定される外部装置と基地局１０３を通じて接続する。そして、ＦＡＸ部１３は、ＦＡＸ指示情報に含まれる対象データを固定電話回線を通じて外部装置にＦＡＸ送信する。
【００９２】
次に、図５〜図７を参照して、ステップＳ２０で実行されるフォーマット変換処理１〜３を説明する。なお、ＦＡＸプログラム６５は、ステップＳ２０において、フォーマット変換処理１〜３の一部或いは全部を実行することができる。上記の例では宛先アイコン１２１〜１２６の１つを選択する例を説明したが、複数の宛先アイコンが選択されてもよい。この場合、選択された複数の宛先アイコンそれぞれに対応する対象電話番号に対してフォーマット変換処理（Ｓ２０）が実行され、且つ第２形式の複数の対象電話番号が前述したＦＡＸ指示情報に含められる。
【００９３】
［フォーマット変換処理１］
図５に示されるフォーマット変換処理１は、対象電話番号に含まれる第１制御記号“＠”を第２制御記号“，”に置換する処理である。まず、ＦＡＸプログラム６５は、対象電話番号が第１制御記号“＠”を含むか否かを判断する（Ｓ２５）。本実施形態では、ステップＳ１８で宛先アイコン１２１、１２４が選択された場合に、対象電話番号が第１制御記号“＠”を含むと判断される（Ｓ２５：Ｙｅｓ）。ステップＳ２５の処理は、第１判断処理の一例である。
【００９４】
次に、ＦＡＸプログラム６５は、対象電話番号が第１制御記号“＠”を含むと判断したことに応じて（Ｓ２５：Ｙｅｓ）、通信部５５を通じて複合機１０に第１問合せ情報を送信する（Ｓ２６）。そして、ＦＡＸプログラム６５は、通信部５５を通じて複合機１０から第１回答情報を受信する（Ｓ２７）。ステップＳ２６の処理は第１問合せ処理の一例であり、ステップＳ２７の処理は第１受信処理の一例である。なお、ステップＳ２６、Ｓ２７に相当する処理がステップＳ１５のタイミングで実行される場合、或いはＦＡＸプログラム６５が第２制御記号“，”を予め記憶している場合、フォーマット変換処理１におけるステップＳ２６、Ｓ２７は省略することができる。
【００９５】
第１問合せ情報は、第２形式の制御記号を問い合わせるための情報である。より詳細には、第１問合せ情報は、第２形式のＰＡＵＳＥ記号を問い合わせるための情報であってもよいし、複合機１０で用いられる第２形式の制御記号の一覧を問い合わせる情報であってもよい。第１回答情報は、第２制御記号“，”を少なくとも含む。または、第１回答情報は、複合機１０で用いられる第２形式の制御記号の一覧を含んでもよい。第１回答情報は、第１問合せ情報の応答として複合機１０によって送信される。
【００９６】
次に、ＦＡＸプログラム６５は、対象電話番号に含まれる第１制御記号“＠”を、回答情報に含まれる第２制御記号“，”に置換する（Ｓ２８）。そして、ＦＡＸプログラム６５は、データ記憶領域６２Ｂに一時記憶された対象電話番号を、置換後の対象電話番号で上書きする。ステップＳ２８の処理は、変換処理の一例である。一方、ＦＡＸプログラム６５は、対象電話番号が第１制御記号“＠”を含まないと判断したことに応じて（Ｓ２５：Ｎｏ）、ステップＳ２６〜Ｓ２８の処理をスキップして、フォーマット変換処理１を終了する。
【００９７】
［フォーマット変換処理２］
図６に示されるフォーマット変換処理２は、対象電話番号にプレフィックス番号を付加する処理である。まず、ＦＡＸプログラム６５は、通信部５５を通じて複合機１０に第２問合せ情報を送信する（Ｓ３１）。また、ＦＡＸプログラム６５は、通信部５５を通じて複合機１０から第２回答情報を受信する（Ｓ３２）。さらに、ＦＡＸプログラム６５は、受信した第２回答情報にプレフィックス番号が含まれているか否かを判断する（Ｓ３３）。ステップＳ３１の処理は第２問合せ処理の一例であり、ステップＳ３２の処理は第３受信処理の一例であり、ステップＳ３３の処理は第２判断処理の一例である。
【００９８】
第２問合せ情報は、データ記憶領域３２Ｂにプレフィックス番号が記憶されているか否かを問い合わせるための情報である。また、第２問合せ情報は、データ記憶領域３２Ｂに記憶されたプレフィックス番号の送信を要求するための情報であってもよい。第２回答情報は、データ記憶領域３２Ｂにプレフィックス番号が記憶されている場合に、プレフィックス番号が登録されていることを示し、且つ当該プレフィックス番号を含む。一方、第２回答情報は、データ記憶領域３２Ｂにプレフィックス番号が記憶されていない場合に、プレフィックス番号が登録されていないことを示し、且つプレフィックス番号を含まない。第２回答情報は、第２問合せ情報の応答として複合機１０によって送信される。
【００９９】
次に、ＦＡＸプログラム６５は、第２回答情報がプレフィックス番号を含むと判断したことに応じて（Ｓ３３：Ｙｅｓ）、確認画面を表示部５３に表示させる（Ｓ３４）。図９（Ｂ）は、確認画面の一例である。図９（Ｂ）に示される確認画面は、「プレフィックス番号“０”を付加しますか？」とのメッセージと、［はい］アイコンと、［いいえ］アイコンとを含む。そして、ＦＡＸプログラム６５は、確認画面に含まれるアイコンの選択を操作部５４を通じて受け付ける（Ｓ３５）。ステップＳ３４、Ｓ３５の処理は、第３受付処理の一例である。
【０１００】
次に、ＦＡＸプログラム６５は、［はい］アイコンの選択を操作部５４を通じて受け付けたことに応じて（Ｓ３５：［はい］アイコン）、対象電話番号の先頭にプレフィックス番号“０”を付加する（Ｓ３６）。そして、ＦＡＸプログラム６５は、データ記憶領域６２Ｂに一時記憶された対象電話番号を、プレフィックス番号を付加した対象電話番号で上書きする。ステップＳ３６の処理は、変換処理の一例である。また、［はい］アイコンの選択は、プレフィックス番号を対象電話番号の先頭に付加することを示すユーザ操作の一例である。
【０１０１】
一方、ＦＡＸプログラム６５は、［いいえ］アイコンの選択を操作部５４を通じて受け付けたことに応じて（Ｓ３５：［いいえ］アイコン）、ステップＳ３６の処理をスキップして、フォーマット変換処理２を終了する。［いいえ］アイコンの選択は、プレフィックス番号を対象電話番号の先頭に付加しないことを示すユーザ操作の一例である。すなわち、［いいえ］アイコンが選択された場合に、対象電話番号の先頭にプレフィックス番号が付加されない。さらに、ＦＡＸプログラム６５は、第２回答情報がプレフィックス番号を含まないと判断したことに応じて（Ｓ３３：Ｎｏ）、ステップＳ３４〜Ｓ３６の処理をスキップして、フォーマット変換処理２を終了する。
【０１０２】
［フォーマット変換処理３］
図７に示されるフォーマット変換処理３は、対象電話番号に含まれる第１プレフィックス記号“＋１”を第２制御記号“０１０１”に置換する処理である。まず、ＦＡＸプログラム６５は、対象電話番号が第１プレフィックス記号、より詳細には国際電話の認識番号“＋”を含むか否かを判断する（Ｓ４１）。本実施形態では、ステップＳ１８で宛先アイコン１２６が選択された場合に、対象電話番号が国際電話の認識番号“＋”を含むと判断される（Ｓ４１：Ｙｅｓ）。ステップＳ４１の処理は、第３判断処理の一例である。
【０１０３】
次に、ＦＡＸプログラム６５は、対象電話番号が国際電話の認識番号“＋”を含むと判断したことに応じて（Ｓ４１：Ｙｅｓ）、対象電話番号で特定される外部装置と複合機１０とが同一国内に設置されているか否かを判断する（Ｓ４２）。なお、宛先アイコン１２６に対応する電話番号“＋１−ｚｚ−ｚｚｚ−ｚｚｚｚ”で特定される外部装置は、相手国記号“１”で示されるアメリカに設置されている。すなわち、ＦＡＸプログラム６５は、ステップＳ４２において、複合機１０が設置された国（以下、「設置国」と表記する。）を特定し、設置国がアメリカであるか否かを判断すればよい。ステップＳ４２の処理は、第４判断処理の一例である。
【０１０４】
ＦＡＸプログラム６５は、例えばステップＳ４２において、複合機１０が属する無線ＬＡＮ１０２のルータ１０２Ａに付与されたグローバルＩＰアドレスを取得し、当該グローバルＩＰアドレスが割り当てられた国を、設置国として特定すればよい。ルータ１０２Ａに付与されたグローバルＩＰアドレスの取得方法、及び当該グローバルＩＰアドレスが割り当てられた国の特定方法は特に限定されないが、例えば以下の方法で実現することができる。
【０１０５】
まず、ＦＡＸプログラム６５は、例えば、インターネット１０１に接続された不図示のサーバにルータ１０２Ａを通じてリクエストメッセージを送信する。リクエストメッセージを中継するルータ１０２Ａは、当該リクエストメッセージを含むＩＰパケットのソースアドレスに、自身に付与されたグローバルＩＰアドレスを設定する。リクエストメッセージを含むＩＰパケットを受信したサーバは、当該ＩＰパケットのソースアドレスに設定されたグローバルＩＰアドレスを取得する。そして、サーバは、当該グローバルＩＰアドレスを含むリプライメッセージを、ルータ１０２Ａを通じて携帯端末５０に送信する。ＦＡＸプログラム６５は、ルータ１０２Ａを通じてサーバからリプライメッセージを受信し、受信したリプライメッセージに含まれるグローバルＩＰアドレスを取得する。
【０１０６】
また、ＦＡＸプログラム６５は、各国に割り当てられたグローバルＩＰアドレスの範囲を示す範囲情報を、データ記憶領域６２Ｂに予め記憶させておいてもよい。または、ＦＡＸプログラム６５は、グローバルＩＰアドレスと共に或いはグローバルＩＰアドレスとは別に、通信部５５を通じてサーバから範囲情報を受信してもよい。また、サーバは、取得したＩＰアドレスと予め記憶した範囲情報とから設置国を判断してもよい。すなわち、ＦＡＸプログラム６５は、設置国を問い合わせるリクエストメッセージをサーバに送信し、設置国を示す情報を含むリプライメッセージをサーバから受信してもよい。本実施形態では、設置国が日本であるとして、以降の説明を継続する。
【０１０７】
次に、ＦＡＸプログラム６５は、設置国がアメリカでないと判断したことに応じて（Ｓ４２：Ｎｏ）、設置国である日本から発信する際に使用可能な第２プレフィックス記号を取得する（Ｓ４３）。ＦＡＸプログラム６５は、第２プレフィックス記号を、データ記憶領域６２Ｂに予め記憶していてもよい。または、ＦＡＸプログラム６５は、通信部５５を通じて複合機１０或いはサーバから第２プレフィックス記号を受信してもよい。ＦＡＸプログラム６５は、例えば、設置国を示す情報を含むリクエストメッセージを通信部５５を通じてサーバに送信し、設置国から発信する際に使用可能な第２プレフィックス記号の一覧を含むリプライメッセージを通信部５５を通じてサーバから受信してもよい。ステップＳ４３の処理は、取得処理の一例である。
【０１０８】
なお、ステップＳ４３で取得される第２プレフィックス記号は、相手国記号“１”及び指定記号の一方或いは両方を、含んでいてもいなくてもよい。すなわち、ＦＡＸプログラム６５は、ステップＳ４３において、第２プレフィックス記号の少なくとも一部を取得すればよい。第２プレフィックス記号が指定記号を含む場合、ＦＡＸプログラム６５は、当該指定記号で示される事業者の名称をさらに取得してもよい。さらに、ステップＳ４３で取得される第２プレフィックス記号は、１つであってもよいし、複数であってもよい。取得した第２プレフィックス記号が１つの場合、後述するステップＳ４４、Ｓ４５は省略することができる。本実施形態では、２つの第２プレフィックス記号“００３３−０１０”、“００１−０１０”が取得されたものとして、以降の説明を継続する。
【０１０９】
次に、ＦＡＸプログラム６５は、事業者選択画面を表示部５３に表示させる（Ｓ４４）。図１０は、事業者選択画面の一例である。図１０に示される事業者選択画面は、「国際通話の事業者を選択して下さい。」とのメッセージと、事業者アイコン１３１、１３２とを含む。事業者アイコン１３１、１３２は、ステップＳ４３で取得した第２プレフィックス記号“００３３−０１０”、“００１−０１０”に対応する。事業者アイコン１３１、１３２には、対応する第２プレフィックス記号と、当該第２プレフィックス記号に含まれる指定記号で示される事業者の名称とが記述されている。そして、ＦＡＸプログラム６５は、事業者選択画面に含まれるアイコンの選択を操作部５４を通じて受け付ける（Ｓ４５）。ステップＳ４４、Ｓ４５の処理は、第４受付処理の一例である。また、事業者アイコン１３１、１３２の選択は、複数の第２プレフィックス記号の１つを指定するユーザ操作の一例である。
【０１１０】
そして、ＦＡＸプログラム６５は、事業者アイコン１３１、１３２の１つの選択を操作部５４を通じて受け付けたことに応じて（Ｓ４５：Ｙｅｓ）、対象電話番号に含まれる第１プレフィックス記号を、当該事業者アイコンに対応する第２プレフィックス記号に置換する（Ｓ４６）。なお、第２プレフィックス記号が相手国記号を含まない場合、ＦＡＸプログラム６５は、ステップＳ４６において、第１プレフィックス記号に含まれる国際電話の認識番号“＋”を、当該第２プレフィックス記号に置換する。一方、第２プレフィックス記号が相手国記号を含む場合、ＦＡＸプログラム６５は、ステップＳ４６において、第１プレフィックス記号“＋１”を、当該第２プレフィックス記号に置換する。ステップＳ４６の処理は、変換処理の一例である。
【０１１１】
一方、ＦＡＸプログラム６５は、設置国がアメリカであると判断したことに応じて（Ｓ４２：Ｙｅｓ）、対象電話番号に含まれる第１プレフィックス記号“＋１”を、第２国であるアメリカの国内開放番号“１”に置換する（Ｓ４７）。国内開放番号は、アメリカ国内に設置された装置間の発信に共通して用いられる第３接頭記号の一例である。ステップＳ４７の処理は、変換処理の一例である。
【０１１２】
［本実施形態の作用効果］
上記の実施形態によれば、第２形式に変換された対象電話番号がＦＡＸ指示情報に含められるので、当該対象電話番号で特定される外部装置を複合機１０が正しく認識することができる。その結果、ＦＡＸの送信失敗や誤送信を抑制することができる。
【０１１３】
一例として、装置毎に異なる制御記号をフォーマット変換処理１で置換することによって、複合機１０は、対象電話番号で示される数字信号を、正しい手順で固定電話回線に送出することができる。このとき、複合機１０に登録された電話番号に含まれる第２制御記号を第１制御記号に置換して宛先選択画面に表示することにより、第１形式及び第２形式の違いをユーザに意識させることなく、所望の電話番号を選択させることができる。
【０１１４】
但し、ステップＳ１６の処理は必須ではない。ＦＡＸプログラム６５は、例えば、ステップＳ１５で受信した宛先リストをそのままデータ記憶領域６２Ｂに一時記憶させてもよい。そして、ＦＡＸプログラム６５は、第２制御記号“，”が第１制御記号“＠”に置換された電話番号を、宛先アイコン上にのみ記述してもよい。また、宛先選択画面に表示される制御記号は、第１制御記号“＠”に統一されていることに限定されず、第２制御記号“，”に統一されてもよいし、第１制御記号及び第２制御記号と異なる“Ｐ”等の共通記号に統一されてもよい。この場合、データ記憶領域６２Ｂ内の電話番号の制御記号は置換されず、宛先選択画面上においてのみ置換された電話番号が表示されればよい。
【０１１５】
他の例として、複合機１０が電話番号に共通して付加するプレフィックス記号をフォーマット変換処理２で付加することにより、複合機１０が予定している手順で外部装置と接続することができる。その結果、ＦＡＸの送信失敗や誤送信が抑制される。また、確認画面において、プレフィックス記号を付加するか否かをユーザに選択させるので、必要のないプレフィックス記号が付加されることを防止できる。
【０１１６】
さらに他の例として、国際プレフィックス記号をフォーマット変換処理３で置換することにより、海外に設置された外部装置に対してＦＡＸ送信する場合に、当該ＦＡＸの送信失敗や誤送信が抑制される。特に、複合機１０は設置場所が大きく変わることが少ないのに対して、携帯端末５０は複数の国で使用される可能性がある。そこで前述の処理を携帯端末５０に実行させることにより、海外から持ち込まれた携帯端末５０からのＦＡＸ指示情報に基づいて、複合機１０が正しくＦＡＸ送信を実行することができる。
【０１１７】
なお、複合機１０の設置国を判断する方法は、前述の例に限定されない。例えば、携帯端末５０は、現在位置を示す位置情報を出力する位置出力部をさらに備えてもよい。位置出力部は、不図示のＧＰＳ衛星が送信する電波を受信し、当該電波に基づいて位置情報を算出し、算出した位置情報を出力する。位置情報は、例えば、緯度及び経度の組み合わせであってもよい。すなわち、ＦＡＸプログラム６５は、位置出力部から取得した位置情報に基づいて携帯端末５０が存在する国を特定することができる。そして、ＦＡＸプログラム６５は、ＦＡＸ指示情報の送信先の複合機１０が携帯端末５０の近くに設置されていると仮定して、携帯端末５０が存在する国を複合機１０の設置国と擬制してもよい。
【０１１８】
上記の処理に加えて、複合機１０及び携帯端末５０は、近接無線通信プロトコルに準拠した無線信号を送受信する近接通信部をさらに備えてもよい。近接無線通信プロトコルとは、例えば、ＮＦＣ（Ｎｅａｒ  Ｆｉｅｌｄ  Ｃｏｍｍｕｎｉｃａｔｉｏｎの略）、Ｂｌｕｅｔｏｏｔｈ（Ｂｌｕｅｔｏｏｔｈ  ＳＩＧ，  Ｉｎｃ．の登録商標）、Ｂｌｕｅｔｏｏｔｈ  Ｌｏｗ  Ｅｎｅｒｇｙ、Ｂｌｕｅｔｏｏｔｈ  Ｓｍａｒｔ、ｉＢｅａｃｏｎ（Ａｐｐｌｅ  Ｉｎｃ．の登録商標）等であってもよい。
【０１１９】
近接通信部は、予め定められた電波強度の無線電波を送出する。この無線電波は、徐々に減衰しながら空気中を伝搬する。そこで、ＦＡＸプログラム６５は、複合機１０の近接通信部から送出された無線電波を、携帯端末５０の近接通信部を通じて受信できたか否かを判断する。そして、ＦＡＸプログラム６５は、複合機１０から送出された無線電波を受信できたと判断したことに応じて、携帯端末５０が存在する国を複合機１０の設置国と擬制してもよい。また、この処理は、複合機１０のスピーカから出力された予め定められた音量の音声を、携帯端末５０のマイクで集音できたか否かによって代替してもよい。
【０１２０】
また、上記の実施形態の複合機１０及び携帯端末５０において、記憶部３２、６２のプログラム記憶領域３２Ａ、６２Ａに記憶された各種プログラムがＣＰＵ３１、６１によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【０１２１】
さらに、本発明は、複合機１０及び携帯端末５０として実現できるだけでなく、複合機１０及び携帯端末５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを通じて複合機１０及び携帯端末５０に接続可能なサーバに搭載された記憶部を含んでもよい。そして、サーバの記憶部に記憶されたプログラムは、当該プログラムを示す情報或いは信号として、インターネット等の通信ネットワークを通じて配信されてもよい。
【符号の説明】
【０１２２】
１０・・・複合機
１３・・・ＦＡＸ部
２５，５５・・・通信部
３１，６１・・・ＣＰＵ
３２，６２・・・記憶部
３５・・・制御プログラム
６５・・・ＦＡＸプログラム
５０・・・携帯端末
５３・・・表示部
５４・・・操作部
５６・・・電話部
【図１】
0006540247.tif 000002
【図２】
0006540247.tif 000003
【図３】
0006540247.tif 000004
【図４】
0006540247.tif 000005
【図５】
0006540247.tif 000006
【図６】
0006540247.tif 000007
【図７】
0006540247.tif 000008
【図８】
0006540247.tif 000009
【図９】
0006540247.tif 000010
【図１０】
0006540247.tif 000011